(57)【要約】【課題】芳香器を簡素な構成にしてコストを抑制すると共に、見栄えの悪化を抑制し、さらに、芳香の簡易な調整機能を有する芳香器を提供する。【解決手段】芳香器Ｈは、平坦な表面１１及び裏面１２を有する板状をなし、表面１１に、芳香剤を含浸させた芳香シート３を取り付けるための取付凹部１０が形成された本体１と、互いに対面する一対の平板部２０，２１を有する偏平袋状をなし、一対の平板部２０，２１の縁間に形成された取出口２２を通じて本体１を出し入れ可能に形成される被覆体２と、を有する。一対の平板部２０，２１は、本体１の収容状態において表面１１及び裏面１２に対面して被覆すると共に、各々の平板部２０，２１には貫通孔が形成されていない。【選択図】図１
0003193301.tif 000002
【実用新案登録請求の範囲】
【請求項１】
平坦な表面及び裏面を有する板状をなし、前記表面及び裏面のいずれかの面に、芳香剤を含浸させた芳香シートを取り付けるための取付凹部が形成された本体と、
互いに対面する一対の平板部を有する偏平袋状をなし、当該一対の平板部の縁間に形成された取出口を通じて前記本体を出し入れ可能に形成される被覆体と、を備え、
前記一対の平板部は、前記本体の収容状態において前記表面及び前記裏面に対面して被覆すると共に、各々の平板部には貫通孔が形成されていないことを特徴とする芳香器。
【請求項２】
前記取出口は長尺状をなし、当該取出口の長手方向端部の寸法が前記本体の厚みよりも小さく形成されることで前記本体を挟持可能な仮保持部が構成されている請求項１に記載の芳香器。
【請求項３】
前記取付凹部には、芳香剤を含浸させた芳香シートが取り付けられており、
前記芳香シートは、前記本体に形成された取付凹部に対応する形状に形成され、前記取付凹部に対する嵌め込みにより着脱可能に構成されている請求項１又は２に記載の芳香器。
【請求項４】
前記取付凹部には、芳香剤を含浸させた芳香シートが取り付けられており、
前記芳香シートは、前記取付凹部に取り付けたときに、前記本体の表面又は裏面と面一になる厚みに形成されている請求項１〜３のいずれかに記載の芳香器。
【請求項５】
前記表面、裏面、平板部の少なくともいずれかには、文字、図柄及びキャラクター絵の少なくともいずれかが描かれている請求項１〜４のいずれかに記載の芳香器。
【請求項６】
前記本体は、円形平板状をなし、前記取付凹部が中央部に円形に形成されており、前記表面及び裏面にレコードを表す図柄が描かれており、
前記被覆体は、前記平板部が矩形状で、平板部の三辺が接続され、残り一辺に前記取出口が形成されている請求項１〜５のいずれかに記載の芳香器。
【請求項７】
前記本体は、平面視において、円盤状、ドーナツ状、多角形のいずれかの形状に形成されており、
前記被覆体は、平面視において、円盤状、多角形のいずれかに形成されている請求項１〜５のいずれかに記載の芳香器。
【請求項８】
請求項１〜７のいずれかに記載の芳香器であって、
前記本体及び前記被覆体が紙で形成されている、前記芳香器としてのペーパーコロン。
【考案の詳細な説明】
【技術分野】
【０００１】
本考案は、芳香剤又は消臭剤を含浸するための芳香シートを用いた芳香器及びペーパーコロンに関する。
【背景技術】
【０００２】
芳香剤又は消臭剤を用いた芳香器には、様々な種類が知られている。例えば、芳香液を収容する容器及び芳香液を揮発させる揮散体を有する芳香器や、複数の孔が形成された箱形の容器に芳香液を含浸させた芳香シート又は固形芳香剤を収容した芳香器などが知られている。その他、芳香液又は消臭液を含浸させた紙製の芳香シートのみのペーパーコロンが知られている。
【０００３】
その他の例として、例えば特許文献１には、芳香シートを支持するトレイと、トレイを抜き差し自在に収容する矩形平箱状の容器とを有し、容器の上下左右の周壁に芳香を発散可能な孔が形成された芳香器が開示されている。
【先行技術文献】
【特許文献】
【０００４】
【特許文献１】登録実用新案第３１６６１４３号公報
【考案の概要】
【考案が解決しようとする課題】
【０００５】
しかしながら、従来の芳香器では、芳香シートを収容する容器に孔が形成され、当該孔から芳香が発散可能な構成とされているものが多い。芳香の発散を調整可能にするためには、孔を開閉可能な蓋体を別途設ける必要があり、コスト増大を招来してしまう。また、容器に文字や図柄を付して芳香器を美観の良い雑貨としている場合には、容器に形成された孔が視認されることから、見栄えが損なわれてしまう場合がある。
【０００６】
本考案は、このような課題に着目してなされたものであり、その目的は、芳香器を簡素な構成にしてコストを抑制すると共に、見栄えの悪化を抑制し、さらに、芳香の簡易な調整機能を有する芳香器及びペーパーコロンを提供することである。
【課題を解決するための手段】
【０００７】
本考案は、かかる目的を達成するために、次のような手段を講じたものである。
【０００８】
すなわち、本考案の芳香器は、平坦な表面及び裏面を有する板状をなし、前記表面及び裏面のいずれかの面に、芳香剤を含浸させた芳香シートを取り付けるための取付凹部が形成された本体と、互いに対面する一対の平板部を有する偏平袋状をなし、当該一対の平板部の縁間に形成された取出口を通じて前記本体を出し入れ可能に形成される被覆体と、を備え、前記一対の平板部は、前記本体の収容状態において前記表面及び前記裏面に対面して被覆すると共に、各々の平板部には貫通孔が形成されていないことを特徴とする。
【０００９】
この構成によれば、被覆体を構成する一対の平板部が、本体の収容状態において本体の表面及び裏面に対面して被覆すると共に、両平板部には貫通孔が形成されていないので、本体を被覆体に完全に収納した状態では、芳香シートが被覆されて芳香が拡散するのを抑制できる。芳香シートを取り付けた本体を被覆体から半取り出し状態にして、芳香シートの一部が平板部から外部に露出し且つ芳香シートの残りが平板部に被覆されるようにすれば、本体の取り出し量に応じて芳香の簡素な調整が可能となる。さらに、被覆体の平板部に孔が形成されていないので、見栄えを向上させることができる。したがって、芳香器を簡素な構成にしてコストを抑制すると共に、見栄えの悪化を抑制し、芳香の簡易な調整機能を有する芳香器を提供できる。
【図面の簡単な説明】
【００１０】
【図１】本考案の一実施形態に係る芳香器（ペーパーコロン）の構成を示す斜視図。
【図２Ａ】被覆体に本体を収容した状態を示す平面図。
【図２Ｂ】被覆体から本体を半分取り出した状態を示す平面図。
【図２Ｃ】本体と芳香シートを示す断面図。
【図３】被覆体の取出口と本体との関係を示す側面図。
【図４】本考案の一実施形態に係る芳香器（ペーパーコロン）の表面を示す図。
【図５】本考案の一実施形態に係る芳香器（ペーパーコロン）の裏面を示す図。
【考案を実施するための形態】
【００１１】
以下、本考案の一実施形態の芳香器及びペーパーコロンを、図面を参照して説明する。
【００１２】
図１に示すように、芳香器Ｈは、芳香剤を含浸させた芳香シート３を取り付けるための取付凹部１０が形成された板状の本体１と、本体１を出し入れ可能に形成される偏平袋状をなす被覆体２と、を有する。
【００１３】
本体１は、平坦な表面１１及び裏面１２を有する板状をなし、表面１１に、芳香シート３を取り付けるための取付凹部１０が形成されている。平坦な表面１１及び平坦な裏面１２は、互いに表裏の関係にある。取付凹部１０は、表面１１及び裏面１２のいずれに形成されていてもよい。芳香シート３は、図１及び図２Ｃに示すように、本体１に形成された取付凹部１０に対応する形状に形成され、取付凹部１０に対する嵌め込みにより着脱可能に構成されている。芳香シート３は、取付凹部１０に取り付けたときに本体１の表面１１と面一になる厚みに形成されている。本実施形態において、本体１は紙で形成されている。具体的には、取付凹部１０に想到する孔を中央に有するドーナツ状の表部と、円形の裏部と、を貼り合わせることで取付凹部１０を有する本体１を構成する。なお、本実施形態では、芳香シート３は、取付状態で本体１と面一になる厚みに形成されているが、本考案において、芳香シート３と本体１とは面一とならなくてもよい。例えば、本体１の表面１１よりも突出してもよいし、逆に、本体１の表面１１よりも凹んでいてもよい。
【００１４】
本実施形態では、図１に示すように、本体１は、円形平板状をなし、取付凹部１０が中央部に円形に形成されており、表面１１及び裏面１２にレコードを表す図柄が描かれている。図柄は、文字、キャラクターを含む図柄に適宜変更可能である。芳香シート３は、取付凹部１０に対応して嵌り合うように円形平板状に形成されている。本考案では、勿論、円形平板状に限定されない。例えば、本体を、平面視において、円盤状（楕円を含む）、ドーナツ状、多角形（角が丸い形状を含む）に形成することが挙げられる。
【００１５】
被覆体２は、互いに対面する一対の平板部２０，２１を有する偏平袋状をなし、平板部２０，２１の縁間に形成された取出口２２を通じて本体１を取り出し可能に構成されている。図３に示すように、取出口２２は長尺状をなし、取出口２２の長手方向端部の寸法Ｄ２が本体１の厚みＤ１（図２Ｃ参照）よりも小さく形成されることで本体１を挟持可能な仮保持部２Ｘが構成されている。
【００１６】
一対の平板部２０，２１は、本体１の収容状態において表面１１及び裏面１２に対面して被覆する。各々の平板部２０，２１には貫通孔が形成されていない。両平板部２０，２１の少なくともいずれかには文字又は図柄が描かれている。
【００１７】
本実施形態では、被覆体２は、平板部２０，２１が矩形状で、平板部２０，２１の三辺が接続され、残り一辺に取出口２２が形成されている。具体的には、図１に示すように、正方形状の平板部２０及び平板部２１が連結された長方形板を折り曲げて、平板部２１の二辺に形成した接着しろ２ａと平板部２０とを接着することで偏平袋状の被覆体２が形成される。本考案では、勿論、矩形（正方形）に限定されない。例えば、被覆体を、平面視において、円盤状（楕円を含む）、多角形（長方形、三角形、角が丸い形状を含む）に形成することが挙げられる。本実施形態において、被覆体２は、紙で形成されている。すなわち、本実施形態の芳香器Ｈは、本体１及び被覆体２が紙で形成されているペーパーコロンである。なお、本考案においては本体１及び被覆体２を紙ではなく、プラスチック等の材質に適宜変更可能である。
【００１８】
図２Ａに示すように、被覆体２を本体１に収納すれば、被覆体２を構成する平板部２０，２１が本体１の表面１１及び裏面１２に対面して被覆する。図２Ｂに示すように、芳香シート３を取り付けた本体１を被覆体２から半取り出し状態にすれば、芳香シート３の一部が平板部２０，２１から外部に露出すると共に、芳香シート３の残りが平板部２０，２１に被覆されることになる。
【００１９】
本実施形態では、被覆体２を構成する平板部２０，２１、本体１を構成する表面１１及び裏面１２に、文字、図柄及びキャラクター絵の少なくともいずれかが描かれているが、平板部２０，２１、表面１１及び裏面１２の少なくともいずれかに描かれていればよい。なお、図４及び図５において、形状を分かりやすくするために無地にしているが、本考案では、文字、図柄及びキャラクター絵などが描かれている。
【００２０】
以上のように、本実施形態の芳香器Ｈは、平坦な表面１１及び裏面１２を有する板状をなし、表面１１に、芳香剤を含浸させた芳香シート３を取り付けるための取付凹部１０が形成された本体１と、互いに対面する一対の平板部２０，２１を有する偏平袋状をなし、一対の平板部２０，２１の縁間に形成された取出口２２を通じて本体１を出し入れ可能に形成される被覆体２と、を有する。一対の平板部２０，２１は、本体１の収容状態において表面１１及び裏面１２に対面して被覆すると共に、各々の平板部２０，２１には貫通孔が形成されていない。
【００２１】
この構成によれば、被覆体２を構成する一対の平板部２０，２１が、本体１の収容状態において本体１の表面１１及び裏面１２に対面して被覆すると共に、両平板部２０，２１には貫通孔が形成されていないので、本体１を被覆体２に完全に収納した状態では、芳香シート３が被覆されて芳香が拡散するのを抑制できる。芳香シート３を取り付けた本体１を被覆体２から半取り出し状態にして、芳香シート３の一部が平板部２０，２１から外部に露出し且つ芳香シート３の残りが平板部２０，２１に被覆されるようにすれば、本体１の取り出し量に応じて芳香の簡素な調整が可能となる。さらに、被覆体２の平板部２０，２１に孔が形成されていないので、見栄えを向上させることができる。したがって、芳香器を簡素な構成にしてコストを抑制すると共に、見栄えの悪化を抑制し、芳香の簡易な調整機能を有する芳香器を提供できる。
【００２２】
本実施形態では、取出口２２は長尺状をなし、取出口２２の長手方向端部の寸法Ｄ２が本体１の厚みＤ１よりも小さく形成されることで本体１を挟持可能な仮保持部２Ｘが構成されている。
【００２３】
この構成によれば、本体１を仮保持できるので、利便性を向上させることが可能となる。
【００２４】
本実施形態では、取付凹部１０には、芳香剤を含浸させた芳香シート３が取り付けられており、芳香シート３は、本体１に形成された取付凹部１０に対応する形状に形成され、取付凹部１０に対する嵌め込みにより着脱可能に構成されている。
【００２５】
この構成によれば、芳香シート３を取付凹部１０に嵌め込むだけで両者を固定でき、接着剤を用いて両者を固定する場合に比べて利便性を向上させることが可能となる。
【００２６】
本実施形態では、取付凹部１０には、芳香剤を含浸させた芳香シート３が取り付けられており、芳香シート３は、取付凹部１０に取り付けたときに、本体１の表面１１又は裏面１２と面一になる厚みに形成されている。
【００２７】
この構成によれば、芳香シート３と本体１とが面一になるので、本体１の被覆体２からの取り出し時にひっかかることを抑制できる。また、芳香シート３と本体１との一体感が向上して見栄えが損なわれることを抑制可能となる。
【００２８】
本実施形態では、表面１１、裏面１２、平板部２０，２１の少なくともいずれかには、文字、図柄及びキャラクター絵の少なくともいずれかが描かれている。この構成によれば、芳香器Ｈの見栄えを向上させることが可能となる。
【００２９】
本実施形態では、本体１は、円形平板状をなし、取付凹部１０が中央部に円形に形成されており、表面１１及び裏面１２にレコードを表す図柄が描かれており、被覆体２は、平板部２０，２１が矩形状で、平板部２０，２１の三辺が接続され、残り一辺に取出口２２が形成されている。本実施形態の芳香器Ｈは、本考案の好適な一つの適用例である。
【００３０】
本実施形態の芳香器Ｈは、本体１及び被覆体２が紙で形成されている、芳香器Ｈとしてのペーパーコロンである。本実施形態の芳香器Ｈは、ペーパーコロンとしての好適な一つの適用例である。
【００３１】
以上、本考案の実施形態について図面に基づいて説明したが、具体的な構成は、これらの実施形態に限定されるものでないと考えられるべきである。本考案の範囲は、上記した実施形態の説明だけではなく請求の範囲によって示され、さらに請求の範囲と均等の意味および範囲内でのすべての変更が含まれる。
【００３２】
例えば、本実施形態における、本体１及び被覆体２の形状は、適宜変更可能である。例えば、本体１は、平面視において、円盤状、ドーナツ状、多角形のいずれかの形状に形成されており、被覆体２は、平面視において、円盤状、多角形のいずれかに形成されていることが挙げられる。
【００３３】
本実施形態において、芳香シート３は、本体１の取付凹部１０に嵌め込むことで取り付け（固定）されているが、接着剤を用いて芳香シート３を取付凹部１０に固定してもよい。
【００３４】
本実施形態では、芳香シート３を本体１に取り付けているが、芳香シート３を取り付けていない状態の本体１を上市してもよい。また、複数の好みの香りに対応できるように、本体１及び被覆体２と共に、複数の芳香シート３を組み合わせて上市してもよい。
【００３５】
なお、上記の各実施形態で採用している構造を他の任意の実施形態に採用することは可能である。各部の具体的な構成は、上述した実施形態のみに限定されるものではなく、本考案の趣旨を逸脱しない範囲で種々変形が可能である。
【符号の説明】
【００３６】
Ｈ…芳香器
１…本体
１０…取付凹部
１１…表面
１２…裏面
２…被覆体
２０，２１…平板部
２２…取出口
３…芳香シート
【図１】
0003193301.tif 000003
【図２Ａ】
0003193301.tif 000004
【図２Ｂ】
0003193301.tif 000005
【図２Ｃ】
0003193301.tif 000006
【図３】
0003193301.tif 000007
【図４】
0003193301.tif 000008
【図５】
0003193301.tif 000009